(57)【要約】      （修正有）【課題】取付部分が破損するのを抑制しつつ、プリント基板の筐体に対する取付作業性を向上させることが可能な映像記録再生機能付きテレビジョンおよび電子機器を提供する。【解決手段】フレーム８は、ネジ孔を有するネジ孔形成部と、ネジ孔から所定の間隔を隔てて形成された突出リブ２１ｃとを有するボス２１と、ネジ孔を有するネジ孔形成部と、ネジ孔から所定の間隔を隔てて形成された突出リブ２２ｃとを有するボス２２と、ネジ孔を有するネジ孔形成部を含むボスとを含み、上層プリント基板１１は、突出リブ２１ｃが挿入される貫通孔１１ｄと、突出リブが挿入される切欠部１１ｅとを含む。そして、突出リブ２１ｃおよび２２ｃは、貫通孔１１ｄおよび切欠部１１ｅを介して上層プリント基板１１の上面よりも上方に突出する。【選択図】図８
0003107006.tif 000002
【実用新案登録請求の範囲】
【請求項１】
装置の底部を支持する樹脂製の筐体と、前記筐体に取り付けられた第１プリント基板と、前記第１プリント基板の上方に配置される実質的に矩形形状の第２プリント基板とを備えた映像記録再生機能付きテレビジョンにおいて、
前記樹脂製の筐体は、
前記筐体に一体的に設けられ、上端から柱状に突出する第１ネジ孔を有する第１ネジ孔形成部と、前記第１ネジ孔から所定の間隔を隔てて形成された位置決めおよび回り止めのための第１突出部とを有する第１ボスと、
前記筐体に一体的に設けられ、上端から柱状に突出する第２ネジ孔を有する第２ネジ孔形成部と、前記第２ネジ孔から所定の間隔を隔てて形成された位置決めおよび回り止めのための第２突出部と、前記第２突出部の上端近傍まで一体的に形成された補強リブとを有する第２ボスと、
前記筐体に一体的に設けられ、上端から柱状に突出する第３ネジ孔を有する第３ネジ孔形成部を含む第３ボスとを含み、
前記矩形形状の第２プリント基板は、前記第１ボスおよび前記第２ボスによって互いに隣り合う一対の辺の実質的に中央位置を各々支持されるとともに、前記第３ボスによって前記一対の辺と対向する角部を支持され、
前記第２プリント基板は、
前記第１ボスの第１ネジ孔、前記第２ボスの第２ネジ孔および前記第３ボスの第３ネジ孔に対応する位置に形成された孔部と、
前記第１ボスの第１突出部が挿入される貫通孔と、
前記第２ボスの第２突出部が挿入される切欠部とを含み、
前記第１ボスの第１突出部は、前記第１ボスの第１ネジ孔に対して前記第２ボスと反対側の位置に形成され、
前記第１ボスの第１突出部および前記第２ボスの第２突出部は、前記第１ボス、前記第２ボスおよび前記第３ボスが前記第２プリント基板を支持したときに、前記貫通孔および前記切欠部を介して前記第２プリント基板の上面よりも上方に突出する、映像記録再生機能付きテレビジョン。
【請求項２】
筐体と、
前記筐体に一体的に設けられ、ネジ孔を有するネジ孔形成部と、位置決めおよび回り止め機能を有する突出部とを含むボスと、
前記ボスに支持されるとともに、前記ボスのネジ孔に対応する位置に形成された孔部と、
前記ボスの突出部が挿入される挿入部とを含むプリント基板とを備え、
前記ボスの突出部は、前記ネジ孔と所定の間隔を隔てて形成されるとともに、前記ボスが前記プリント基板を支持したときに、前記挿入部を介して前記プリント基板の上面よりも上方に突出する、電子機器。
【請求項３】
前記ボスの突出部は、前記突出部に一体的に形成された補強リブを有する、請求項２に記載の電子機器。
【請求項４】
前記プリント基板の挿入部は、前記プリント基板の端部に形成された切欠部を含み、
前記突出部の補強リブは、前記突出部の上端近傍まで形成されている、請求項３に記載の電子機器。
【請求項５】
前記ボスのネジ孔形成部は、前記ボスの上端から柱状に突出して形成されている、請求項２〜４のいずれか１項に記載の電子機器。
【考案の詳細な説明】
【技術分野】
【０００１】
本考案は、映像記録再生機能付きテレビジョンおよび電子機器に関し、特に、プリント基板を備えた映像記録再生機能付きテレビジョンおよび電子機器に関する。
【背景技術】
【０００２】
従来、プリント基板を備えた映像記録再生機能付きテレビジョンなどの電子機器が知られている。このような電子機器において、従来、支持部材などの別部材を用いてプリント基板を機器の筐体に取り付ける場合があった。この場合、従来では、プリント基板を筐体に取り付ける際の部品点数が増加するという不都合があった。これに対して、従来、筐体に一体的に形成されたボスにプリント基板を取り付ける構造が知られている（特許文献１参照）。
【０００３】
上記特許文献１には、ベース基板（筐体）から突出する複数のボスの側面を、段差を有する階段状に形成し、その段差部分にプリント基板を載置する構造のプリント基板固定装置が開示されている。
【０００４】
上記特許文献１に開示された構造では、ベース基板（筐体）に対してプリント基板のネジ止めによる固定を行っていないので、プリント基板がベース基板に対して垂直方向に移動するという不都合があった。
【０００５】
そこで、従来、上記した不都合を解消するために、筐体に一体的に形成されたボスにプリント基板をネジ止めによって固定する構造の電子機器が提案されている（たとえば、特許文献２および特許文献３参照）。
【０００６】
上記特許文献２には、底板（筐体）に一体的に形成されたボスに、複数枚のプリント基板を支持可能な矩形形状のフレームをネジ止めにより固定するプリント基板固定構造が開示されている。
【０００７】
また、上記特許文献３には、ケース（筐体）に一体的に形成されたボスにネジ止めにより固定されるプリント基板の固定構造が開示されている。この特許文献３に開示された固定構造では、ボスには、ボスのネジ孔に隣接して上方に突出するピン（突出部）が一体的に形成されるとともに、プリント基板には、ボスのピンに対応する位置にピン孔が形成されている。そして、ボスのピンの突出高さは、プリント基板の厚みよりも小さくなるように構成されている。
【特許文献１】実開昭５９−６３４８９号公報
【特許文献２】特開平１１−１４５６５０号公報
【特許文献３】実開平５−９３０６７号公報
【考案の開示】
【考案が解決しようとする課題】
【０００８】
しかしながら、上記特許文献２に開示されたプリント基板取付構造では、底板（筐体）に形成されたボスにプリント基板を支持するフレームをネジ止めする際に、フレームの位置決めを行っていないので、底板（筐体）に対するフレームの取付作業が煩雑になるという問題点があった。
【０００９】
また、上記特許文献３に開示された構造では、ボスのピン（突出部）とプリント基板のピン孔とによりケース（筐体）に対するプリント基板の位置決めを行っている一方、ボス
がプリント基板を支持したときに、ボスのピンがプリント基板の上面よりも上方に突出しないので、作業者が、プリント基板をケースにネジ止めする際のプリント基板の位置決めが正確に実行できているか否かを、目視により速やかに確認するのが困難である。その結果、ケース（筐体）に対するプリント基板の取付作業が煩雑になるという問題点があった。また、ボスのピンがプリント基板の上面よりも上方に突出しないので、ピンとピン孔との係合状態が解除されやすい。このため、ネジ止めの前に、プリント基板がケースから外れやすく、これによっても、ケース（筐体）に対するプリント基板の取付作業が煩雑になるという問題点があった。また、ピンをネジ孔に隣接して形成しているので、プリント基板のネジ止めの際にピンに加わる負荷により、ピン（突出部）が破損する恐れがあるという問題点があった。
【００１０】
この考案は、上記のような課題を解決するためになされたものであり、取付部分が破損するのを抑制しつつ、プリント基板の筐体に対する取付作業性を向上させることが可能な映像記録再生機能付きテレビジョンおよび電子機器を提供することを目的とする。
【課題を解決するための手段】
【００１１】
上記目的を達成するために、この考案の第１の局面による映像記録再生機能付きテレビジョンは、装置の底部を支持する樹脂製の筐体と、筐体に取り付けられた第１プリント基板と、第１プリント基板の上方に配置される実質的に矩形形状の第２プリント基板とを備えた映像記録再生機能付きテレビジョンにおいて、樹脂製の筐体は、筐体に一体的に設けられ、上端から柱状に突出する第１ネジ孔を有する第１ネジ孔形成部と、第１ネジ孔から所定の間隔を隔てて形成された位置決めおよび回り止めのための第１突出部とを有する第１ボスと、筐体に一体的に設けられ、上端から柱状に突出する第２ネジ孔を有する第２ネジ孔形成部と、第２ネジ孔から所定の間隔を隔てて形成された位置決めおよび回り止めのための第２突出部と、第２突出部の上端近傍まで一体的に形成された補強リブとを有する第２ボスと、筐体に一体的に設けられ、上端から柱状に突出する第３ネジ孔を有する第３ネジ孔形成部を含む第３ボスとを含み、矩形形状の第２プリント基板は、第１ボスおよび第２ボスによって互いに隣り合う一対の辺の実質的に中央位置を各々支持されるとともに、第３ボスによって一対の辺と対向する角部を支持され、第２プリント基板は、第１ボスの第１ネジ孔、第２ボスの第２ネジ孔および第３ボスの第３ネジ孔に対応する位置に形成された孔部と、第１ボスの第１突出部が挿入される貫通孔と、第２ボスの第２突出部が挿入される切欠部とを含み、第１ボスの第１突出部は、第１ボスの第１ネジ孔に対して第２ボスと反対側の位置に形成され、第１ボスの第１突出部および第２ボスの第２突出部は、第１ボス、第２ボスおよび第３ボスが第２プリント基板を支持したときに、貫通孔および切欠部を介して第２プリント基板の上面よりも上方に突出する。
【００１２】
この第１の局面による映像記録再生機能付きテレビジョンでは、上記のように、第１ボス、第２ボスおよび第３ボスが第２プリント基板を支持したときに、第１ボスの第１突出部および第２ボスの第２突出部が貫通孔および切欠部を介して第２プリント基板の上面よりも上方に突出するように構成することによって、作業者が、第２プリント基板を筺体にネジ止めする際の第２プリント基板の位置決めが正確に実行できているか否かを、容易に、目視により確認することができるので、筺体に対する第２プリント基板の取付時の作業性を向上させることができる。また、第１ボスの第１突出部および第２ボスの第２突出部が貫通孔および切欠部を介して第２プリント基板の上面よりも上方に突出するように構成することによって、第１突出部および第２突出部を第２プリント基板の上面よりも上方に突出させない場合に比べて、第１突出部および貫通孔と、第２突出部および切欠部とがより確実に係合するので、ネジ止めする前に、第２プリント基板が筺体から外れるのをより効果的に抑制することができるとともに、ネジ止めする際の第２プリント基板の位置決めを確実に行うことができる。また、第１ボスの第１突出部および第２ボスの第２突出部を第１ネジ孔および第２ネジ孔と所定の間隔を隔てた位置に形成することによって、第１ネ
ジ孔および第２ネジ孔に挿入されるネジに第１突出部および第２突出部が接触することがないので、容易に、第１突出部および第２突出部を第２プリント基板の上面よりも上方に突出させることができる。また、第１ボスの第１突出部および第２ボスの第２突出部を第１ネジ孔および第２ネジ孔と所定の間隔を隔てた位置に形成することによって、第１突出部および第２突出部を第１ネジ孔および第２ネジ孔に隣接して形成する場合に比べて、第２プリント基板のネジ止めの際に第１突出部および第２突出部に加わる負荷が減少するので、第１突出部および第２突出部が破損するのを抑制することができるとともに、第２プリント基板の回り止めを効果的に行うことができる。
【００１３】
また、第１の局面では、第２プリント基板を支持する第１ボス、第２ボスおよび第３ボスを筺体に一体的に形成することによって、第２プリント基板を支持する支持部材を別途設ける場合に比べて、部品点数が増加するのを抑制することができる。また、第１ボスの第１突出部を第１ネジ孔に対して第２ボスと反対側の位置に形成することによって、第２プリント基板が第１ボスの第１突出部が形成された方向に傾くのを抑制することができるので、第１ボス、第２ボスおよび第３ボスにより第２プリント基板を水平状態で安定して支持することができる。また、第２ボスの第２突出部に上端近傍まで補強リブを形成することによって、容易に、第２ボスの第２突出部を補強することができるので、第２突出部が破損するのを効果的に抑制することができる。また、第２ボスの第２突出部を第２プリント基板の端部に形成された切欠部に挿入することによって、容易に、切欠部により、第２プリント基板を筐体に嵌め込むことができる。また、第１ネジ孔形成部、第２ネジ孔形成部および第３ネジ孔形成部を、第１ボス、第２ボスおよび第３ボスの上端から柱状に突出して形成することによって、第１ネジ孔形成部、第２ネジ孔形成部および第３ネジ孔形成部により第２プリント基板が支持されるので、第１ボス、第２ボスおよび第３ボスの上面全体により第２プリント基板が支持される場合と異なり、第２プリント基板と、第１ボス、第２ボスおよび第３ボスとの接触面積が増大するのを抑制することができる。
【００１４】
この考案の第２の局面による電子機器は、筐体と、筐体に一体的に設けられ、ネジ孔を有するネジ孔形成部と、位置決めおよび回り止め機能を有する突出部とを含むボスと、ボスに支持されるとともに、ボスのネジ孔に対応する位置に形成された孔部と、ボスの突出部が挿入される挿入部とを含むプリント基板とを備え、ボスの突出部は、ネジ孔と所定の間隔を隔てて形成されるとともに、ボスがプリント基板を支持したときに、挿入部を介してプリント基板の上面よりも上方に突出する。
【００１５】
この第２の局面による電子機器では、上記のように、ボスがプリント基板を支持したときに、ボスの突出部が挿入部を介してプリント基板の上面よりも上方に突出するように構成することによって、作業者が、プリント基板を筺体にネジ止めする際のプリント基板の位置決めが正確に実行できているか否かを、容易に、目視により確認することができるので、筺体に対するプリント基板の取付時の作業性を向上させることができる。また、ボスの突出部が挿入部を介してプリント基板の上面よりも上方に突出するように構成することによって、突出部をプリント基板の上面よりも上方に突出させない場合に比べて、突出部と挿入部とがより確実に係合するので、ネジ止めする前に、プリント基板が筺体から外れるのをより効果的に抑制することができるとともに、ネジ止めする際のプリント基板の位置決めを確実に行うことができる。また、ボスの突出部をネジ孔と所定の間隔を隔てた位置に形成することによって、ネジ孔に挿入されるネジに突出部が接触することがないので、容易に、突出部をプリント基板の上面よりも上方に突出させることができる。また、ボスの突出部をネジ孔と所定の間隔を隔てた位置に形成することによって、突出部をネジ孔に隣接して形成する場合に比べて、プリント基板のネジ止めの際に突出部に加わる負荷が減少するので、突出部が破損するのを抑制することができるとともに、プリント基板の回り止めを効果的に行うことができる。また、プリント基板を支持するボスを筺体に一体的に形成することによって、プリント基板を支持する支持部材を別途設ける場合に比べて、
部品点数が増加するのを抑制することができる。
【００１６】
上記第２の局面による電子機器において、好ましくは、ボスの突出部は、突出部に一体的に形成された補強リブを有する。このように構成すれば、容易に、ボスの突出部を補強することができるので、突出部が破損するのを抑制することができる。
【００１７】
この場合、好ましくは、プリント基板の挿入部は、プリント基板の端部に形成された切欠部を含み、突出部の補強リブは、突出部の上端近傍まで形成されている。このように構成すれば、容易に、切欠部により、プリント基板を筐体に嵌め込むことができる。また、補強リブを突出部の上端近傍まで形成することによって、突出部が破損するのをより効果的に抑制することができる。
【００１８】
上記第２の局面による電子機器において、好ましくは、ボスのネジ孔形成部は、ボスの上端から柱状に突出して形成されている。このように構成すれば、ネジ孔形成部によりプリント基板が支持されるので、ボスの上面全体によりプリント基板が支持される場合と異なり、プリント基板とボスとの接触面積が増大するのを抑制することができる。
【考案を実施するための最良の形態】
【００１９】
以下、本考案の実施形態を図面に基づいて説明する。
【００２０】
図１は、本考案の一実施形態によるビデオ一体型テレビの全体構成を示した斜視図であり、図２は、図１に示した一実施形態によるビデオ一体型テレビの内部構成を示した斜視図である。図３〜図７は、図２に示した一実施形態によるビデオ一体型テレビの内部構造を説明するための図であり、図８は、図１に示した一実施形態によるビデオ一体型テレビにおけるフレームに対する上層プリント基板の取付工程を説明するための斜視図である。まず、図１〜図８を参照して、本考案の一実施形態によるビデオ一体型テレビ１の構造について説明する。なお、本実施形態では、本考案の映像記録再生機能付きテレビジョンをビデオ一体型テレビ１に適用した例について説明する。また、図中の矢印ＦおよびＲは、図１〜図８に共通するビデオ一体型テレビ１の前面側および背面側を示している。
【００２１】
本考案の一実施形態によるビデオ一体型テレビ１は、図１に示すように、ビデオ一体型テレビ１の外枠を構成するカバー２と、カバー２の前面側（矢印Ｆ方向）に嵌め込まれた表示画面３と、表示画面３の下方に形成されたビデオカセット挿入口４と、他の機器（図示せず）との接続を行う際に使用する端子差込口５と、電源ボタン６および複数の操作ボタン７とを備えている。また、ビデオ一体型テレビ１は、図２に示すように、内部に、ビデオ一体型テレビ１の底部を支持する樹脂製のフレーム８と、フレーム８に取り付けられたベース基板としての下層プリント基板９と、ビデオカセット挿入口４より挿入されたビデオカセット（図示せず）を駆動させる駆動機構１０と、下層プリント基板９の上方に配置される長方形状の上層プリント基板１１とを備えている。なお、フレーム８は、本考案の「筐体」の一例であり、下層プリント基板９は、本考案の「第１プリント基板」の一例である。また、上層プリント基板１１は、本考案の「第２プリント基板」および「プリント基板」の一例である。
【００２２】
この上層プリント基板１１の上面には、図３〜図５に示すように、トランスコイル１２、電源コネクタ１３および素子１４が載置されている。なお、本実施形態による上層プリント基板１１は、たとえば、装置のスタンバイ時の電力を制御する機能を有する待機電力軽減用基板などである。また、図２に示すように、フレーム８の前面側（矢印Ｆ方向）の一対の角部分および背面側（矢印Ｒ方向）の一方の角部分には、カバー２を支持するための３つの支柱８ａが形成されている。
【００２３】
ここで、本実施形態では、フレーム８の背面側（矢印Ｒ方向）の他方の角部分には、図２に示すように、３つのボス２１、２２および２３がフレーム８に一体的に形成されている。なお、ボス２１は、本考案の「第１ボス」の一例であり、ボス２２は、本考案の「第２ボス」の一例であり、ボス２３は、本考案の「第３ボス」の一例である。上層プリント基板１１は、図３に示すように、フレーム８に一体的に形成された３つのボス２１、２２および２３にネジ１５により取り付けられている。すなわち、ボス２１、２２および２３は、図３および図４に示すように、ボス２１および２２が長方形状の上層プリント基板１１の一方短辺３１ａおよび一方長辺３２ａの中央部分を各々支持するとともに、ボス２３が上層プリント基板１１の他方短辺３１ｂおよび他方長辺３２ｂに挟まれた角部３３を支持するように配置されている。なお、一方短辺３１ａおよび一方長辺３２ａは、本考案の「一対の辺」の一例である。また、下層プリント基板９には、図３、図６および図７に示すように、ボス２２に対応する位置に開口部９ａが形成されている。
【００２４】
本実施形態では、ボス２１は、図６および図７に示すように、長方形の横断面を有するとともに、上端から円柱状に突出するネジ孔２１ａを有するネジ孔形成部２１ｂと、ネジ孔２１ａから矢印Ｒ方向に所定の間隔を隔てて形成された長方形状の突出リブ２１ｃとを有している。この突出リブ２１ｃは、図５に示すように、ボス２１、２２および２３が上層プリント基板１１を支持したときに、上層プリント基板１１の上面よりも上方に突出可能に構成されている。なお、ネジ孔２１ａは、本考案の「第１ネジ孔」の一例であり、ネジ孔形成部２１ｂは、本考案の「第１ネジ孔形成部」の一例であり、突出リブ２１ｃは、本考案の「第１突出部」および「突出部」の一例である。このネジ孔形成部２１ｂの装置の前面側（矢印Ｆ方向）には、図６および図７に示すように、補強用のリブ２１ｄが一体的に形成されており、ネジ孔形成部２１ｂの装置の背面側（矢印Ｒ方向）には、ネジ孔形成部２１ｂおよび突出リブ２１ｃを連結するように補強用のリブ２１ｅが一体的に形成されている。
【００２５】
また、ボス２２は、長方形の横断面を有するとともに、上端から円柱状に突出するネジ孔２２ａを有するネジ孔形成部２２ｂと、ネジ孔２２ａから矢印Ｆ方向に所定の間隔を隔てて形成された長方形状の突出リブ２２ｃと、突出リブ２２ｃの装置の前面側（矢印Ｆ方向）に突出リブ２２ｃの上端まで一体的に形成された補強リブ２２ｄとを有している。この突出リブ２２ｃは、図５に示すように、ボス２１、２２および２３が上層プリント基板１１を支持したときに、上層プリント基板１１の上面よりも上方に突出可能に構成されている。なお、ネジ孔２２ａは、本考案の「第２ネジ孔」の一例であり、ネジ孔形成部２２ｂは、本考案の「第２ネジ孔形成部」の一例であり、突出リブ２２ｃは、本考案の「第２突出部」および「突出部」の一例である。また、ボス２３は、図６および図７に示すように、長方形の横断面を有するとともに、上端から円柱状に突出するネジ孔２３ａを有するネジ孔形成部２３ｂを含んでいる。なお、ネジ孔２３ａは、本考案の「第３ネジ孔」の一例であり、ネジ孔形成部２３ｂは、本考案の「第３ネジ孔形成部」の一例である。
【００２６】
また、本実施形態では、上層プリント基板１１は、図８に示すように、ボス２１、２２および２３のネジ孔２１ａ、２２ａおよび２３ａ（図６参照）に対応する位置に形成された３つの孔部１１ａ、１１ｂおよび１１ｃと、ボス２１の長方形状の突出リブ２１ｃが挿入される貫通孔１１ｄと、ボス２２の長方形状の突出リブ２２ｃが挿入される切欠部１１ｅとを有している。この貫通孔１１ｄは、孔部１１ａと所定の間隔を隔てた位置に形成されている。また、切欠部１１ｅは、孔部１１ｂと所定の間隔を隔てた上層プリント基板１１の端部に形成されている。なお、貫通孔１１ｄおよび切欠部１１ｅは、本考案の「挿入部」の一例である。
【００２７】
次に、図６および図８を参照して、本実施形態によるビデオ一体型テレビ１におけるフレーム８に形成された３つのボス２１、２２および２３に対する上層プリント基板１１の
取付工程について説明する。まず、図６に示すフレーム８に形成されたボス２１および２２の突出リブ２１ｃおよび２２ｃに、上層プリント基板１１の貫通孔１１ｄおよび切欠部１１ｅを各々係合させる。これによって、図８に示すように、フレーム８の３つのボス２１、２２および２３によって上層プリント基板１１を支持するとともに、フレーム８に対して上層プリント基板１１の位置決めを行う。そして、上層プリント基板１１の３つの孔部１１ａ、１１ｂおよび１１ｃを介して、ボス２１、２２および２３のネジ孔２１ａ、２２ａおよび２３ａにネジ１５を各々挿入し、上層プリント基板１１をフレーム８に対してネジ止めする。
【００２８】
本実施形態では、ボス２１のネジ孔２１ａからネジ止め作業を開始した場合には、ボス２２の突出リブ２２ｃが上層プリント基板１１の回り止めとして有効に機能する。また、ボス２２のネジ孔２２ａからネジ止め作業を開始した場合には、ボス２１の突出リブ２１ｃが上層プリント基板１１の回り止めとして有効に機能する。また、ボス２３のネジ孔２３ａからネジ止め作業を開始した場合には、ボス２１の突出リブ２１ｃおよびボス２２の突出リブ２２ｃの両方が上層プリント基板１１の回り止めとして有効に機能する。なお、本実施形態によるネジ止め工程においては、ボス２３に位置決めおよび回り止め機能を有する突出部が形成されていないので、ボス２３のネジ孔２３ａからネジ止め作業を開始するのが好ましい。これによって、フレーム８に形成されたボス２１、２２および２３に対する上層プリント基板１１の取り付けが行われる。
【００２９】
本実施形態では、上記のように、ボス２１、２２および２３が上層プリント基板１１を支持したときに、ボス２１の突出リブ２１ｃおよびボス２２の突出リブ２２ｃが貫通孔１１ｄおよび切欠部１１ｅを介して上層プリント基板１１の上面よりも上方に突出するように構成することによって、作業者が、上層プリント基板１１をフレーム８にネジ止めする際の上層プリント基板１１の位置決めが正確に実行できているか否かを、容易に、目視により確認することができるので、フレーム８に対する上層プリント基板１１の取付時の作業性を向上させることができる。また、ボス２１の突出リブ２１ｃおよびボス２２の突出リブ２２ｃが貫通孔１１ｄおよび切欠部１１ｅを介して上層プリント基板１１の上面よりも上方に突出するように構成することによって、突出リブ２１ｃおよび突出リブ２２ｃを上層プリント基板１１の上面よりも上方に突出させない場合に比べて、突出リブ２１ｃおよび貫通孔１１ｄと、突出リブ２２ｃおよび切欠部１１ｅとがより確実に係合するので、ネジ止めする前に、上層プリント基板１１がフレーム８から外れるのをより効果的に抑制することができるとともに、ネジ止めする際の上層プリント基板１１の位置決めを確実に行うことができる。
【００３０】
また、本実施形態では、ボス２１および２２の突出リブ２１ｃおよび２２ｃをネジ孔２１ａおよび２２ａと所定の間隔を隔てた位置に形成することによって、ネジ孔２１ａおよび２２ａに挿入されるネジ１５に突出リブ２１ｃおよび２２ｃが接触することがないので、容易に、突出リブ２１ｃおよび２２ｃを上層プリント基板１１の上面よりも上方に突出させることができる。また、ボス２１および２２の突出リブ２１ｃおよび２２ｃをネジ孔２１ａおよび２２ａと所定の間隔を隔てた位置に形成することによって、突出リブ２１ｃおよび２２ｃをネジ孔２１ａおよび２２ａに隣接して形成する場合に比べて、上層プリント基板１１のネジ止めの際に突出リブ２１ｃおよび２２ｃに加わる負荷が減少するので、突出リブ２１ｃおよび２２ｃが破損するのを抑制することができるとともに、上層プリント基板１１の回り止めを効果的に行うことができる。
【００３１】
また、本実施形態では、上層プリント基板１１を支持するボス２１、２２および２３をフレーム８に一体的に形成することによって、上層プリント基板１１を支持する支持部材を別途設ける場合に比べて、部品点数が増加するのを抑制することができる。
【００３２】
また、本実施形態では、ボス２１の突出リブ２１ｃをネジ孔２１ａに対してボス２２と反対側の位置に形成することによって、上層プリント基板１１が上層プリント基板１１上に載置されたトランスコイル１２の重みにより、ボス２１の突出リブ２１ｃが形成された方向に傾くのを抑制することができるので、ボス２１、２２および２３により上層プリント基板１１を水平状態で安定して支持することができる。
【００３３】
また、本実施形態では、ボス２１の突出リブ２１ｃに補強用のリブ２１ｅを形成することによって、容易に、ボス２１の突出リブ２１ｃを補強することができるので、突出リブ２１ｃが破損するのを抑制することができる。また、ボス２２の突出リブ２２ｃに上端まで補強リブ２２ｄを形成することによって、突出リブ２２ｃが破損するのをより効果的に抑制することができる。
【００３４】
また、本実施形態では、ボス２２の突出リブ２２ｃを上層プリント基板１１の端部に形成された切欠部１１ｅに挿入することによって、容易に、切欠部１１ｅにより、上層プリント基板１１をフレーム８に嵌め込むことができる。
【００３５】
また、本実施形態では、ネジ孔形成部２１ｂ、２２ｂおよび２３ｂを、それぞれ、ボス２１、２２および２３の上端から円柱状に突出して形成することによって、ネジ孔形成部２１ｂ、２２ｂおよび２３ｂにより上層プリント基板１１が支持されるので、ボス２１、２２および２３の上面全体により上層プリント基板１１が支持される場合と異なり、上層プリント基板１１と、ボス２１、２２および２３との接触面積が増大するのを抑制することができる。
【００３６】
なお、今回開示された実施形態は、すべての点で例示であって制限的なものではないと考えられるべきである。本考案の範囲は、上記した実施形態の説明ではなく実用新案登録請求の範囲によって示され、さらに実用新案登録請求の範囲と均等の意味および範囲内でのすべての変更が含まれる。
【００３７】
たとえば、上記実施形態では、本考案の映像記録再生機能付きテレビジョンの一例としてのビデオ一体型テレビに本考案を適用する例を示したが、本考案はこれに限らず、ビデオ一体型テレビ以外のＤＶＤ一体型テレビなどの映像記録再生機能付きテレビジョンに適用してもよい。また、映像記録再生機能付きテレビジョン以外のプリント基板を有する構造のパーソナルコンピュータやオーディオ機器などの電子機器にも適用可能である。
【００３８】
また、上記実施形態では、ボス２１のネジ孔形成部２１ｂに補強用のリブ２１ｄを形成する例を示したが、本考案はこれに限らず、ボス２２および２３のネジ孔形成部２２ｂおよび２３ｂにも補強用のリブを一体的に形成してもよい。
【００３９】
また、上記実施形態では、ボス２１、２２および２３のネジ孔形成部２１ｂ、２２ｂおよび２３ｂを、ボス２１、２２および２３の上端から円柱状に突出して形成する例を示したが、本考案ではこれに限らず、ネジ孔形成部２１ｂ、２２ｂおよび２３ｂを横断面が楕円形状の柱状に突出させてもよい。また、ネジ孔形成部２１ｂ、２２ｂおよび２３ｂを設けずに、ボス２１、２２および２３の上面部分に直接、ネジ孔２１ａ、２２ａおよび２３ａを形成してもよい。
【００４０】
また、上記実施形態では、３つのボス２１、２２および２３により上層プリント基板１１を支持する例を示したが、本考案はこれに限らず、２つ以下、または、４つ以上のボスにより基板を支持するようにしてもよい。
【図面の簡単な説明】
【００４１】
【図１】本考案の一実施形態によるビデオ一体型テレビの全体構成を示した斜視図である。
【図２】図１に示した一実施形態によるビデオ一体型テレビの内部構成を示した斜視図である。
【図３】図２に示した一実施形態によるビデオ一体型テレビのボスにより支持された上層プリント基板を示した部分拡大斜視図である。
【図４】図３に示した一実施形態によるビデオ一体型テレビの上層プリント基板を示した平面図である。
【図５】図４中の１００−１００線に沿った断面図である。
【図６】図２に示した一実施形態によるビデオ一体型テレビのボスを示した部分拡大斜視図である。
【図７】図６に示した一実施形態によるビデオ一体型テレビのボスを示した平面図である。
【図８】図１に示した一実施形態によるビデオ一体型テレビにおけるフレームに対する上層プリント基板の取付工程を説明するための斜視図である。
【符号の説明】
【００４２】
１  ビデオ一体型テレビ（映像記録再生機能付きテレビジョン、電子機器）
８  フレーム（筐体）
９  下層プリント基板（第１プリント基板）
１１  上層プリント基板（第２プリント基板、プリント基板）
１１ａ、１１ｂ、１１ｃ  孔部
１１ｄ  貫通孔（挿入部）
１１ｅ  切欠部（挿入部）
２１  ボス（第１ボス）
２１ａ  ネジ孔（第１ネジ孔）
２１ｂ  ネジ孔形成部（第１ネジ孔形成部）
２１ｃ  突出リブ（第１突出部、突出部）
２２  ボス（第２ボス）
２２ａ  ネジ孔（第２ネジ孔）
２２ｂ  ネジ孔形成部（第２ネジ孔形成部）
２２ｃ  突出リブ（第２突出部、突出部）
２２ｄ  補強リブ
２３  ボス（第３ボス）
２３ａ  ネジ孔（第３ネジ孔）
２３ｂ  ネジ孔形成部（第３ネジ孔形成部）
３１ａ  一方短辺（一対の辺）
３２ａ  一方長辺（一対の辺）
３３  角部
【図１】
0003107006.tif 000003
【図２】
0003107006.tif 000004
【図３】
0003107006.tif 000005
【図４】
0003107006.tif 000006
【図５】
0003107006.tif 000007
【図６】
0003107006.tif 000008
【図７】
0003107006.tif 000009
【図８】
0003107006.tif 000010